(57)【要約】【課題】  サンプル集のヘアスタイルが似合っているか否かの確認と、顧客が望むヘアスタイルの美容院等側による事前の把握とを、簡易迅速に行え、美容院等の営業時間外にもカット等の予約ができる、汎用性が高い美容院等予約システム及び予約方法を提供する。【解決手段】  顧客は、カメラ付き携帯電話１０により顔写真を撮影し、その写真とカットサンプル集２０掲載の希望するカットに付されたカット番号とを美容院予約システムセンター３０に送信する。美容院予約システムセンター３０は、その顔写真とカット番号に相当するカット画像とを合成し、合成画像をカメラ付き携帯電話１０に送信する。顧客は、合成画像を気に入れば、カメラ付き携帯電話１０から美容院予約システムセンター３０に予約情報を送信する。美容院予約システムセンター３０は、合成画像と予約情報を美容院端末４０に送信する。【選択図】  図１
2005032156.tif 000002
【特許請求の範囲】
【請求項１】
ネットワークを介して相互に接続された通信機能を有する複数の情報処理装置を有し、美容院及び／または理髪店の予約を行う美容院・理髪店予約システムであって、
第１の前記情報処理装置は、
カメラにより撮影された顔写真の画像データと、ヘアスタイルサンプル集に掲載された１つと、または複数のヘアスタイルのサンプルごとに付されたヘアスタイル番号の少なくとも１つと、を第２の前記情報処理装置に送信する機能と、
該第２の情報処理装置から送信されたイメージ画像のデータを受信する機能と、
該イメージ画像を表示する機能と、
前記美容院及び／または前記理髪店の前記予約に必要な予約情報を前記第２の情報処理装置に送信する機能と、
該予約情報に対する応答情報を第３の前記情報処理装置から受信する機能と、
を有し、
前記第２の情報処理装置は、
前記第１の情報処理装置から送信された前記顔写真の画像データと前記ヘアスタイル番号とを受信する機能と、
前記顔写真の画像と前記ヘアスタイル番号に相当する前記ヘアスタイルの画像とを合成、加工して前記イメージ画像を作製する機能と、
該作製された前記イメージ画像のデータを前記第１の情報処理装置に送信する機能と、
前記第１の情報処理装置により送信された前記予約情報を受信する機能と、
該受信した前記予約情報と前記イメージ画像のデータとを第３の前記情報処理装置に送信する機能と、
を有し、
前記第３の情報処理装置は、
前記第２の情報処理装置から送信される前記予約情報と前記イメージ画像のデータとを受信する機能と、
前記予約情報に対する前記応答情報を前記第１の情報処理装置に送信する機能と、
を有する、
ことを特徴とする美容院・理髪店予約システム。
【請求項２】
前記予約情報に対する応答情報は、
前記予約の完了をあらわす予約完了情報または前記予約日時を変更する要求をあらわす予約日時変更要求情報を含むことを特徴とする請求項１記載の美容院・理髪店予約システム。
【請求項３】
前記予約情報は、
前記予約を希望される美容院名若しくは理髪店名、予約希望日時、及びコメントの少なくとも１つを含むことを特徴とする請求項１または２記載の美容院・理髪店予約システム。
【請求項４】
前記第１の情報処理装置は、
前記予約日時変更要求情報を受信した場合は、前記第３の情報処理装置に対してあらためて予約希望日時を送信する機能、
をさらに有することを特徴とする請求項２または３記載の美容院・理髪店予約システム。
【請求項５】
前記第１の情報処理装置は、
美容院名または理髪店名を選択するための機能と、
該選択された前記美容院名または前記理髪店名を前記第２の情報処理装置に送信する機能と、
前記第２の情報処理装置から予約可能月日を受信する機能と、
該予約可能月日を表示する機能と、
該予約可能月日から予約希望月日を選択するための機能と、
該選択された前記予約希望月日を前記第２の情報処理装置に送信する機能と、
前記第２の情報処理装置から予約可能時刻を受信する機能と、
該予約可能時刻を表示する機能と、
該予約可能時刻から予約希望時刻を選択するための機能と、
該選択された該予約希望時刻を前記第２の情報処理装置に送信する機能と、
をさらに有し、
前記第２の情報処理装置は、
前記第１の情報処理装置から受信した前記美容院名または前記理髪店名から前記予約可能月日を求める機能と、
該予約可能月日を前記第１の情報処理装置に送信する機能と、
前記第１の情報処理装置から前記予約希望月日を受信する機能と、
該予約希望月日から予約可能時刻を求める機能と、
該予約可能時刻を前記第１の情報処理装置に送信する機能と、
前記第１の情報処理装置から前記予約希望時刻を受信する機能と、
該予約希望時刻を前記第３の情報処理装置に送信する機能と、
をさらに有し、
前記第３の情報処理装置は、
前記第２の情報処理装置から前記予約希望時刻を受信する機能と、
該予約希望時刻と前記イメージ画像のデータとを受信すると予約の完了をあらわす予約完了情報を前記第１の情報処理装置に送信する機能と、
をさらに有することを特徴とする請求項１から４のいずれか１項に記載の美容院・理髪店予約システム。
【請求項６】
前記第２の情報処理装置は、
前記予約情報をデータベースとして格納する機能、をさらに有することを特徴とする請求項１から５のいずれか１項に記載の美容院・理髪店予約システム。
【請求項７】
前記第３の情報処理装置は、
前記予約の内容が変化する度に該変化を反映した前記予約情報を前記第２の情報処理装置に送信する機能をさらに有し、
前記第２の情報処理装置は、
前記第３の情報処理装置から受信した該予約情報を前記データベースに蓄積する機能をさらに有する、
ことを特徴とする請求項６記載の美容院・理髪店予約システム。
【請求項８】
前記第１の情報処理装置は、
第１の前記イメージ画像の表示後に、前記第２の情報処理装置に既に送信された第１の前記ヘアスタイル番号とは異なる第２の前記ヘアスタイル番号を前記第２の情報処理装置に送信する機能、
をさらに有し、
前記第２の情報処理装置は、
該第２の前記ヘアスタイル番号を受信する機能と、
前記顔写真の画像と該第２の前記ヘアスタイル番号に相当する前記ヘアスタイルの画像とを合成、加工して第２の前記イメージ画像を作製する機能と、
該第２の前記イメージ画像のデータを前記第１の情報処理装置に送信する機能と、
該第２の前記イメージ画像のデータを前記第３の情報処理装置に送信する機能と、
をさらに有し、
前記第３の情報処理装置は、
該第２の前記イメージ画像のデータを受信する機能、
をさらに有し、
前記イメージ画像の作製を何度もやり直せることを特徴とする請求項１から７のいずれか１項に記載の美容院・理髪店予約システム。
【請求項９】
前記第１の情報処理装置は、
前記イメージ画像の表示後に前記予約を中止するための機能、
をさらに有することを特徴とする請求項１から８のいずれか１項に記載の美容院・理髪店予約システム。
【請求項１０】
前記第１の情報処理装置は、
前記ヘアスタイルサンプル集を表示する機能、
を有することを特徴とする請求項１から９のいずれか１項に記載の美容院・理髪店予約システム。
【請求項１１】
前記第１の情報処理装置は、
前記予約情報を入力するための予約情報設定画面を表示する機能、
を有することを特徴とする請求項１から１０のいずれか１項に記載の美容院・理髪店予約システム。
【請求項１２】
前記第１の情報処理装置は、
前記カメラと接続され、
該カメラにより前記顔写真の前記撮影を行うことを特徴とする請求項１から１１のいずれか１項に記載の記載の美容院・理髪店予約システム。
【請求項１３】
前記第１の情報処理装置は、
前記カメラを有し、
該カメラにより前記顔写真の前記撮影を行うことを特徴とする請求項１から１１のいずれか１項に記載の美容院・理髪店予約システム。
【請求項１４】
前記第１の情報処理装置は、
携帯型通信端末であることを特徴とする請求項１から１３のいずれか１項に記載の記載の美容院・理髪店予約システム。
【請求項１５】
前記携帯型通信端末は、
カメラを備えたカメラ付き携帯電話であって、
カメラ付き携帯電話は、
該カメラにより前記顔写真の前記撮影を行う機能を有することを特徴とする請求項１４記載の美容院・理髪店予約システム。
【請求項１６】
前記第２の情報処理装置は、
前記予約情報を入力するための予約情報設定画面を前記第１の情報処理装置に提供する機能と、
前記第１の情報処理装置からの前記予約情報の前記受信を、
該予約情報設定画面を介して行う機能と、
を有することを特徴とする請求項１から１５のいずれか１項に記載の美容院・理髪店予約システム。
【請求項１７】
前記第２の情報処理装置は、
前記第３の情報処理装置への前記予約情報の送信を、
該予約情報から識別される美容院または理髪店が有する前記第３の情報処理装置に対して行う機能、
を有することを特徴とする請求項１から１６のいずれか１項に記載の美容院・理髪店予約システム。
【請求項１８】
前記第２の情報処理装置は、
ワークステーション・サーバであることを特徴とする請求項１から１７のいずれか１項に記載の美容院・理髪店予約システム。
【請求項１９】
前記第３の情報処理装置は、
前記第２の情報処理装置から受信した前記予約情報を蓄積し、該予約情報を管理する機能、
をさらに有することを特徴とする請求項１から１８のいずれか１項に記載の美容院・理髪店予約システム。
【請求項２０】
前記第３の情報処理装置は、
前記予約情報を管理する機能、
をさらに有することを特徴とする請求項１から１９のいずれか１項に記載の美容院・理髪店予約システム。
【請求項２１】
前記第３の情報処理装置は、
前記イメージ画像を表示する機能、
をさらに有することを特徴とする請求項１から２０のいずれか１項に記載の美容院・理髪店予約システム。
【請求項２２】
前記第３の情報処理装置は、
前記美容院または前記理髪店の店舗に設置してあるパーソナルコンピュータであることを特徴とする請求項１から２１のいずれか１項に記載の美容院・理髪店予約システム。
【請求項２３】
前記ヘアスタイルサンプル集は、
前記美容院または前記理髪店が提供しているヘアスタイルのサンプルを集めた情報であることを特徴とする請求項１から２２のいずれか１項に記載の美容院・理髪店予約システム。
【請求項２４】
前記ヘアスタイルサンプル集は、
前記ネットワーク上に提供されることを特徴とする請求項１から２３のいずれか１項に記載の美容院・理髪店予約システム。
【請求項２５】
前記ヘアスタイルサンプル集は、
紙媒体により提供されることを特徴とする請求項１から２４のいずれか１項に記載の美容院・理髪店予約システム。
【請求項２６】
前記ヘアスタイルサンプル集は、
利用者の過去のヘアスタイルのイメージ画像及び／または利用者のヘアスタイルの傾向に関する情報を含むことを特徴とする請求項１から２５のいずれか１項に記載の記載の美容院・理髪店予約システム。
【請求項２７】
前記ヘアスタイルサンプル集は、
前記第２の情報処理装置が管理するデータベースを用いて提供されることを特徴とする請求項１から２６のいずれか１項に記載の美容院・理髪店予約システム。
【請求項２８】
前記ネットワークは、
インターネットであることを特徴とする請求項１から２７のいずれか１項に記載の美容院・理髪店予約システム。
【請求項２９】
通信機能を有する複数の情報処理装置をネットワークを介して相互に接続し、該ネットワークを介して美容院及び／または理髪店の予約を行う美容院・理髪店予約方法であって、
該美容院・理髪店予約方法は、
カメラにより顔写真を撮影するステップと、
ヘアスタイルサンプル集に掲載された１または複数のヘアスタイルのサンプルごとに付されたヘアスタイル番号の少なくとも１つを選択するステップと、
前記撮影された前記顔写真と前記選択された前記ヘアスタイル番号とを、第１の前記情報処理装置から第２の前記情報処理装置に送信するステップと、
前記第２の情報処理装置により前記顔写真と前記選択された前記ヘアスタイル番号に相当する前記サンプルとを合成、加工してヘアスタイルのイメージ画像を作成するステップと、
前記第２の情報処理装置から前記イメージ画像と所定の情報を表示する予約設定画面のアドレスとを前記第１の情報処理装置に送信するステップと、
前記アドレスを用いて前記第１の情報処理装置から前記予約設定画面にアクセスし、前記予約設定画面を前記第１の情報処理装置に表示させるステップと、
前記予約設定画面を用いて、予約に必要な予約情報を入力するための所定の情報を表示する予約情報設定画面を前記第１の情報処理装置に表示させるステップと、
該予約情報設定画面を用いて前記予約情報を入力するステップと、
前記第１の情報処理装置から該予約情報を前記第２の情報処理装置に送信するステップと、
前記第２の情報処理装置から前記予約情報から識別される前記予約を希望される前記美容院または前記理髪店が有する第３の前記情報処理装置に対して前記イメージ画像と前記予約情報とを送信するステップと、
前記第３の情報処理装置から前記第１の情報処理装置に前記予約情報に対する応答情報を送信するステップと、
を有することを特徴とする美容院・理髪店予約方法。
【請求項３０】
前記応答情報は、
前記予約情報に基づき予約できると判断される場合は、前記予約の完了をあらわす予約完了情報であることを特徴とする請求項２９記載の美容院・理髪店予約方法。
【請求項３１】
前記応答情報は、
前記予約情報に基づき予約できないと判断される場合は、前記予約の時間を変更する要求をあらわす予約希望時刻変更要求情報であることを特徴とする請求項２９または３０記載の美容院・理髪店予約方法。
【請求項３２】
前記予約情報は、
前記予約を希望される美容院名若しくは理髪店名、予約希望日時、及びコメントの少なくとも１つを含むことを特徴とする請求項２９から３１のいずれか１項に記載の美容院・理髪店予約方法。
【請求項３３】
前記第１の情報処理装置が前記予約希望時刻変更要求情報を受信した場合は、
前記第１の情報処理装置から前記第３の情報処理装置に対してあらためて予約希望日時を送信するステップ、
をさらに有することを特徴とする請求項３１または３２記載の美容院・理髪店予約方法。
【請求項３４】
前記あらためて予約希望日時を送信するステップは、
前記予約が完了するまで繰り返されることを特徴とする請求項３３記載の美容院・理髪店予約方法。
【請求項３５】
通信機能を有する複数の情報処理装置をネットワークを介して相互に接続し、該ネットワークを介して美容院及び／または理髪店の予約を行う美容院・理髪店予約方法であって、
該美容院・理髪店予約方法は、
カメラにより顔写真を撮影するステップと、
ヘアスタイルサンプル集に掲載された１または複数のヘアスタイルのサンプルごとに付されたヘアスタイル番号の少なくとも１つを選択するステップと、
前記撮影された前記顔写真と前記選択された前記ヘアスタイル番号とを、第１の前記情報処理装置から第２の前記情報処理装置に送信するステップと、
前記第２の情報処理装置により前記顔写真と前記選択された前記ヘアスタイル番号に相当する前記サンプルとを合成、加工してヘアスタイルのイメージ画像を作成するステップと、
前記第２の情報処理装置から前記イメージ画像と所定の情報を表示する予約設定画面のアドレスとを前記第１の情報処理装置に送信するステップと、
前記アドレスを用いて前記第１の情報処理装置から前記予約設定画面にアクセスし、前記予約設定画面を前記第１の情報処理装置に表示させるステップと、
前記予約設定画面を用いて、予約に必要な予約情報を入力するための所定の情報を表示する予約情報設定画面を前記第１の情報処理装置に表示させるステップと、
前記予約情報設定画面を用いて少なくとも前記予約を希望する美容院名または理髪店名を含む前記予約情報を入力するステップと、
前記入力された前記美容院名または前記理髪店名から前記第２の情報処理装置が予約可能月日を求め、該予約可能月日を前記予約情報設定画面に表示するステップと、
前記予約可能月日から前記第１の情報処理装置により前記予約を希望する予約希望月日を選択するステップと、
前記選択された前記予約希望月日から前記第２の情報処理装置は予約可能時刻を求め、該予約可能時刻を前記予約情報設定画面に表示するステップと、
前記予約可能時刻から前記第１の情報処理装置により前記予約を希望する予約希望時刻を選択するステップと、
前記第２の情報処理装置から前記美容院名または前記理髪店名に相当する前記美容院または理髪店が有する第３の前記情報処理装置に、前記イメージ画像と、前記選択された前記予約希望時刻を含む前記予約情報と、を送信するステップと、
前記第３の情報処理装置から前記第１の情報処理装置に前記予約の完了をあらわす予約完了情報を送信するステップと、
を有することを特徴とする美容院・理髪店予約方法。
【請求項３６】
前記第２の情報処理装置により前記予約情報をデータベースとして格納するステップ、
をさらに有することを特徴とする請求項２９から３５のいずれか１項に記載の美容院・理髪店予約方法。
【請求項３７】
前記予約の内容が変化した場合、
前記第３の情報処理装置から前記第２の情報処理装置に該変化した内容に関する情報を送信するステップと、
前記第２の情報処理装置が該変化した内容に関する情報を受信し、該情報をデータベースとして蓄積するステップと、
をさらに有することを特徴とする請求項３６記載の美容院・理髪店予約方法。
【請求項３８】
前記予約情報を前記第３の情報処理装置で管理し、前記イメージ画像を表示し、該予約情報と該イメージ画像とを参考にして調髪を行なうことを特徴とする請求項２９から３７のいずれか１項に記載の美容院・理髪店予約方法。
【請求項３９】
前記イメージ画像が満足されるものでない場合、
該イメージ画像とは異なる前記イメージ画像を作成するステップ、
をさらに有することを特徴とする請求項２９から３８のいずれか１項に記載の美容院・理髪店予約方法。
【請求項４０】
前記イメージ画像が満足されるものでない場合、
前記予約を中止するステップ、
をさらに有することを特徴とする請求項２９から３９のいずれか１項に記載の美容院・理髪店予約方法。
【請求項４１】
前記イメージ画像とは異なる前記イメージ画像を作成するステップは、
前記ヘアスタイルサンプル集から前記ヘアスタイル番号を選択するステップからはじまることを特徴とする請求項３９または４０記載の美容院・理髪店予約方法。
【請求項４２】
前記第１の情報処理装置を前記カメラに接続し、
該カメラにより前記顔写真の前記撮影を行うことを特徴とする請求項２９から４１のいずれか１項に記載の記載の美容院・理髪店予約方法。
【請求項４３】
前記第１の情報処理装置が有する前記カメラにより前記顔写真の前記撮影を行うことを特徴とする請求項２９から４１のいずれか１項に記載の記載の美容院・理髪店予約方法。
【請求項４４】
前記第１の情報処理装置は、
携帯型通信端末であることを特徴とする請求項項２９から４３のいずれか１項に記載の記載の美容院・理髪店予約方法。
【請求項４５】
前記携帯型通信端末は、
前記カメラを有するカメラ付き携帯電話であることを特徴とする請求項４４記載の美容院・理髪店予約方法。
【請求項４６】
前記第２の情報処理装置は、
ワークステーション・サーバであることを特徴とする請求項２９から４５のいずれか１項に記載の美容院・理髪店予約方法。
【請求項４７】
前記第３の情報処理装置は、
前記美容院または前記理髪店の店舗に設置してあるパーソナルコンピュータであることを特徴とする請求項２９から４６のいずれか１項に記載の美容院・理髪店予約方法。
【請求項４８】
前記ヘアスタイルサンプル集は、
前記美容院または前記理髪店が提供しているヘアスタイルのサンプルを集めた情報であることを特徴とする請求項２９から４７のいずれか１項に記載の美容院・理髪店予約方法。
【請求項４９】
前記ヘアスタイルサンプル集は、
前記ネットワーク上に提供されることを特徴とする請求項２９から４８のいずれか１項に記載の美容院・理髪店予約方法。
【請求項５０】
前記ヘアスタイルサンプル集は、
紙媒体により提供されることを特徴とする請求項２９から４８のいずれか１項に記載の美容院・理髪店予約方法。
【請求項５１】
前記ヘアスタイルサンプル集は、
利用者の過去のヘアスタイル及び／または前記利用者以外の他の利用者のヘアスタイルの傾向に関する情報を含むことを特徴とする請求項２９から５０のいずれか１項に記載の美容院・理髪店予約システム。
【請求項５２】
前記利用者の過去のヘアスタイル及び／または前記利用者以外の他の利用者のヘアスタイルの傾向を取得するステップ、
をさらに有することを特徴とする請求項２９から５１のいずれか１項に記載の美容院・理髪店予約方法。
【請求項５３】
前記ヘアスタイルサンプル集は、
前記第２の情報処理装置が管理するデータベースを用いて提供されることを特徴とする請求項２９から５２のいずれか１項に記載の美容院・理髪店予約方法。
【請求項５４】
前記ヘアスタイル番号の選択は、
前記第２の情報処理装置が前記ネットワーク上に提供している前記ヘアスタイルサンプル集に前記第１の情報処理装置からアクセスし、該ヘアスタイルサンプル集から希望するヘアスタイルのサンプルを選択し、該サンプルに付された前記ヘアスタイル番号を選択することにより行われることを特徴とする請求項２９から５３のいずれか１項に記載の美容院・理髪店予約方法。
【請求項５５】
前記ネットワークは、
インターネットであることを特徴とする請求項２９から５４のいずれか１項に記載の美容院・理髪店予約方法。
【発明の詳細な説明】
【技術分野】
【０００１】
本発明は、美容院・理髪店予約システム及び美容院・理髪店予約方法に関し、特に、カメラ付き携帯電話を用いた美容院・理髪店予約システム及び美容院・理髪店予約方法に関する。
【背景技術】
【０００２】
美容院や理髪店（以下美容院等という）の顧客は、カット、パーマ、髪結い等の調髪（以下カット等という）を行なう場合、来店する前に書籍等の形で提供されるサンプル集に掲載されたヘアスタイルのサンプルを見て、どのヘアスタイルにするかを決めることが多い。また、その場合、顧客は、電話で予約を行い、カットサンプルの本や本の切抜き等を実際に持って美容院等の店舗に来店することもある。
【０００３】
しかし、顧客がサンプル集等から選択したヘアスタイルとなるように、美容師、理髪師ら（以下美容師等という）がカット等を実際に行っても、ヘアスタイルのサンプルは、カットモデルを使って提供されるため、そのカット等が顧客には似合わないことがしばしばある。また、かつては、美容院等側としても、顧客がどのようなヘアスタイルを望んで来店するかを事前に把握することはできなかった。
【０００４】
そこで、インターネット等のネットワークを介して、顧客が送信した顔写真画像と、顧客が選択した希望カットスタイル画像とを、美容院の端末やサーバなどで合成して、カット等後のイメージ画像としてユーザ端末に送信する技術が開発された（特許文献１、２参照。）。
【０００５】
ところで、そのように合成されたイメージ画像をたとえ顧客が気に入ったとしても、顧客がカット等の予約を電話でしようとすると、美容院等の営業時間内でないとできない。
【０００６】
そこで、顧客が顔写真データを送信する際に、同時に予約情報も送信し、これを受けた美容院等側が顔写真データと髪型サンプルデータとを合成し、イメージ画像を作成し、顧客にそれを閲覧させるとともに、予約の可不可も通知するというインターネットを利用したコーディネートサービスが開発された（特許文献３参照。）。
【特許文献１】特開２００１−２７３４５７号公報
【特許文献２】特開２００２−１３３２８０号公報
【特許文献３】特開２００３−０７６７７６号公報
【発明の開示】
【発明が解決しようとする課題】
【０００７】
しかし、上記従来技術における顧客の端末としては、パーソナルコンピュータを使用することが予定されている。よって、機動性や手軽さに欠けるので、顧客は当該サービスを実際に使用することに煩わしさや心理的な抵抗を覚えるという問題があった。
【０００８】
また、顔写真画像と希望するヘアスタイル画像との合成を美容院等に行わせる構成にすると、美容院等側にとっても、煩わしさを覚えるばかりか、コストアップにつながり、経営的なメリットが乏しくなってしまう。
【０００９】
さらには、利用者の過去のカット等のヘアスタイルイメージやそこから割り出された利用者のカット等の傾向をデータベース化し、一元管理すると、例えば、顧客の選択の幅が広がったり、サービスの質が均一化したり、顧客の心理的な抵抗を和らげたり、美容院等のコストダウンとなったり、これらの効果があいまって当該サービスの普及に拍車が掛かったりする等、その効果は計り知れない。しかるに、上記従来技術においては、個々の顧客ごとに個別に対応することに目を奪われすぎてしまい、上記のような経済的視点が欠如している。
【００１０】
そこで、本発明は、以上の問題点を解決する美容院・理髪店予約システム及び予約方法を提供することを目的とする。すなわち、本発明の目的は、美容院等の顧客がカットサンプル集等に掲載されたヘアスタイルが自分に似合っているか否かを簡易迅速に確認できると同時に、美容院等が、顧客がどのようなカットを望んで来店するかを事前にしかも簡易に把握でき、かつ、美容院等の営業時間外にも予約ができる、汎用性が高い美容院・理髪店予約システム及び美容院・理髪店予約方法を提供することにある。
【課題を解決するための手段】
【００１１】
上記の目的を達成するために、請求項１記載の発明によれば、美容院・理髪店予約システムは、ネットワークを介して相互に接続された通信機能を有する複数の情報処理装置を有し、美容院及び／または理髪店の予約を行う美容院・理髪店予約システムであって、第１の情報処理装置は、カメラにより撮影された顔写真の画像データと、ヘアスタイルサンプル集に掲載された１または複数のヘアスタイルのサンプルごとに付されたヘアスタイル番号の少なくとも１つと、を第２の情報処理装置に送信する機能と、第２の情報処理装置から送信されたイメージ画像のデータを受信する機能と、イメージ画像を表示する機能と、美容院及び／または理髪店の予約に必要な予約情報を第２の情報処理装置に送信する機能と、予約情報に対する応答情報を第３の情報処理装置から受信する機能と、を有し、第２の情報処理装置は、第１の情報処理装置から送信された顔写真の画像データとヘアスタイル番号とを受信する機能と、顔写真の画像とヘアスタイル番号に相当するヘアスタイルの画像とを合成、加工してイメージ画像を作製する機能と、作製されたイメージ画像のデータを第１の情報処理装置に送信する機能と、第１の情報処理装置により送信された予約情報を受信する機能と、受信した予約情報とイメージ画像のデータとを第３の情報処理装置に送信する機能と、を有し、第３の情報処理装置は、第２の情報処理装置から送信される予約情報とイメージ画像のデータとを受信する機能と、予約情報に対する応答情報を第１の情報処理装置に送信する機能と、を有する、ことを特徴とするものである。
【００１２】
請求項２記載の発明によれば、美容院・理髪店予約システムは、予約情報に対する応答情報は、予約の完了をあらわす予約完了情報または予約日時を変更する要求をあらわす予約日時変更要求情報を含む請求項１記載の美容院・理髪店予約システムであることを特徴とするものである。
【００１３】
請求項３記載の発明によれば、美容院・理髪店予約システムは、予約情報は、予約を希望される美容院名若しくは理髪店名、予約希望日時、及びコメントの少なくとも１つを含む請求項１または２記載の美容院・理髪店予約システムであることを特徴とするものである。
【００１４】
請求項４記載の発明によれば、美容院・理髪店予約システムは、第１の情報処理装置は、予約日時変更要求情報を受信した場合は、第３の情報処理装置に対してあらためて予約希望日時を送信する機能をさらに有することを特徴とする請求項２または３記載の美容院・理髪店予約システムであることを特徴とするものである。
【００１５】
請求項５記載の発明によれば、美容院・理髪店予約システムは、第１の情報処理装置は、美容院名または理髪店名を選択するための機能と、選択された美容院名または理髪店名を第２の情報処理装置に送信する機能と、第２の情報処理装置から予約可能月日を受信する機能と、予約可能月日を表示する機能と、予約可能月日から予約希望月日を選択するための機能と、選択された予約希望月日を第２の情報処理装置に送信する機能と、第２の情報処理装置から予約可能時刻を受信する機能と、予約可能時刻を表示する機能と、予約可能時刻から予約希望時刻を選択するための機能と、選択された予約希望時刻を第２の情報処理装置に送信する機能と、をさらに有し、第２の情報処理装置は、第１の情報処理装置から受信した美容院名または理髪店名から予約可能月日を求める機能と、予約可能月日を第１の情報処理装置に送信する機能と、第１の情報処理装置から予約希望月日を受信する機能と、予約希望月日から予約可能時刻を求める機能と、予約可能時刻を第１の情報処理装置に送信する機能と、第１の情報処理装置から予約希望時刻を受信する機能と、予約希望時刻を第３の情報処理装置に送信する機能と、をさらに有し、第３の情報処理装置は、第２の情報処理装置から予約希望時刻を受信する機能と、予約希望時刻とイメージ画像のデータとを受信すると予約の完了をあらわす予約完了情報を第１の情報処理装置に送信する機能と、をさらに有する請求項１から４のいずれか１項に記載の美容院・理髪店予約システムであることを特徴とするものである。
【００１６】
請求項６記載の発明によれば、美容院・理髪店予約システムは、第２の情報処理装置は、予約情報をデータベースとして格納する機能、をさらに有する請求項１から５のいずれか１項に記載の美容院・理髪店予約システムであることを特徴とするものである。
【００１７】
請求項７記載の発明によれば、美容院・理髪店予約システムは、第３の情報処理装置は、予約の内容が変化する度に変化を反映した予約情報を第２の情報処理装置に送信する機能をさらに有し、第２の情報処理装置は、第３の情報処理装置から受信した予約情報をデータベースに蓄積する機能をさらに有する請求項６記載の美容院・理髪店予約システムであることを特徴とするものである。
【００１８】
請求項８記載の発明によれば、美容院・理髪店予約システムは、第１の情報処理装置は、第１のイメージ画像の表示後に、前記第２の情報処理装置に既に送信された第１のヘアスタイル番号とは異なる第２のヘアスタイル番号を第２の情報処理装置に送信する機能、をさらに有し、第２の情報処理装置は、第２のヘアスタイル番号を受信する機能と、顔写真の画像と第２のヘアスタイル番号に相当するヘアスタイルの画像とを合成、加工して第２のイメージ画像を作製する機能と、第２のイメージ画像のデータを第１の情報処理装置に送信する機能と、第２のイメージ画像のデータを第３の情報処理装置に送信する機能と、をさらに有し、第３の情報処理装置は、第２のイメージ画像のデータを受信する機能、をさらに有し、イメージ画像の作製を何度もやり直せる請求項１から７のいずれか１項に記載の美容院・理髪店予約システムであることを特徴とするものである。
【００１９】
請求項９記載の発明によれば、美容院・理髪店予約システムは、第１の情報処理装置は、イメージ画像の表示後に予約を中止するための機能、をさらに有する請求項１から８のいずれか１項に記載の美容院・理髪店予約システムであることを特徴とするものである。
【００２０】
請求項１０記載の発明によれば、美容院・理髪店予約システムは、第１の情報処理装置は、ヘアスタイルサンプル集を表示する機能、を有する請求項１から９のいずれか１項に記載の美容院・理髪店予約システムであることを特徴とするものである。
【００２１】
請求項１１記載の発明によれば、美容院・理髪店予約システムは、第１の情報処理装置は、予約情報を入力するための予約情報設定画面を表示する機能、を有する請求項１から１０のいずれか１項に記載の美容院・理髪店予約システムであることを特徴とするものである。
【００２２】
請求項１２記載の発明によれば、美容院・理髪店予約システムは、第１の情報処理装置は、カメラと接続され、カメラにより顔写真の撮影を行う請求項１から１１のいずれか１項に記載の美容院・理髪店予約システムであることを特徴とするものである。
【００２３】
請求項１３記載の発明によれば、美容院・理髪店予約システムは、第１の情報処理装置は、カメラを有し、カメラにより顔写真の撮影を行う請求項１から１１のいずれか１項に記載の美容院・理髪店予約システムであることを特徴とするものである。
【００２４】
請求項１４記載の発明によれば、美容院・理髪店予約システムは、第１の情報処理装置は、携帯型通信端末である請求項１から１３のいずれか１項に記載の美容院・理髪店予約システムであることを特徴とするものである。
【００２５】
請求項１５記載の発明によれば、美容院・理髪店予約システムは、携帯型通信端末は、カメラを備えたカメラ付き携帯電話であって、カメラ付き携帯電話は、カメラにより顔写真の撮影を行う機能を有する請求項１４記載の美容院・理髪店予約システムであることを特徴とするものである。
【００２６】
請求項１６記載の発明によれば、美容院・理髪店予約システムは、第２の情報処理装置は、予約情報を入力するための予約情報設定画面を前記第１の情報処理装置に提供する機能と、第１の情報処理装置からの予約情報の受信を、予約情報設定画面を介して行う機能と、を有することを請求項１から１５のいずれか１項に記載の美容院・理髪店予約システムであることを特徴とするものである。
【００２７】
請求項１７記載の発明によれば、美容院・理髪店予約システムは、第２の情報処理装置は、第３の情報処理装置への予約情報の送信を、予約情報から識別される美容院または理髪店が有する第３の情報処理装置に対して行う機能を有する請求項１から１６のいずれか１項に記載の美容院・理髪店予約システムであることを特徴とするものである。
【００２８】
請求項１８記載の発明によれば、美容院・理髪店予約システムは、第２の情報処理装置は、ワークステーション・サーバである請求項１から１７のいずれか１項に記載の美容院・理髪店予約システムであることを特徴とするものである。
【００２９】
請求項１９記載の発明によれば、美容院・理髪店予約システムは、第３の情報処理装置は、第２の情報処理装置から受信した予約情報を蓄積し、予約情報を管理する機能、をさらに有する請求項１から１８のいずれか１項に記載の美容院・理髪店予約システムであることを特徴とするものである。
【００３０】
請求項２０記載の発明によれば、美容院・理髪店予約システムは、第３の情報処理装置は、予約情報を管理する機能、をさらに有する請求項１から１９のいずれか１項に記載の美容院・理髪店予約システムであることを特徴とするものである。
【００３１】
請求項２１記載の発明によれば、美容院・理髪店予約システムは、第３の情報処理装置は、イメージ画像を表示する機能、をさらに有する請求項１から２０のいずれか１項に記載の美容院・理髪店予約システムであることを特徴とするものである。
【００３２】
請求項２２記載の発明によれば、美容院・理髪店予約システムは、第３の情報処理装置は、美容院または理髪店の店舗に設置してあるパーソナルコンピュータである請求項１から２１のいずれか１項に記載の美容院・理髪店予約システムであることを特徴とするものである。
【００３３】
請求項２３記載の発明によれば、美容院・理髪店予約システムは、ヘアスタイルサンプル集は、美容院または理髪店が提供しているヘアスタイルのサンプルを集めた情報である請求項１から２２のいずれか１項に記載の美容院・理髪店予約システムであることを特徴とするものである。
【００３４】
請求項２４記載の発明によれば、美容院・理髪店予約システムは、ヘアスタイルサンプル集は、ネットワーク上に提供されることを特徴とする請求項１から２３のいずれか１項に記載の美容院・理髪店予約システムであることを特徴とするものである。
【００３５】
請求項２５記載の発明によれば、美容院・理髪店予約システムは、ヘアスタイルサンプル集は、紙媒体により提供される請求項１から２４のいずれか１項に記載の美容院・理髪店予約システムであることを特徴とするものである。
【００３６】
請求項２６記載の発明によれば、美容院・理髪店予約システムは、ヘアスタイルサンプル集は、利用者の過去のヘアスタイルのイメージ画像及び／または利用者のヘアスタイルの傾向に関する情報を含む請求項１から２５のいずれか１項に記載の美容院・理髪店予約システムであることを特徴とするものである。
【００３７】
請求項２７記載の発明によれば、美容院・理髪店予約システムは、ヘアスタイルサンプル集は、第２の情報処理装置が管理するデータベースを用いて提供される請求項１から２６のいずれか１項に記載の美容院・理髪店予約システムであることを特徴とするものである。
【００３８】
請求項２８記載の発明によれば、美容院・理髪店予約システムは、ネットワークは、インターネットである請求項１から２７のいずれか１項に記載の美容院・理髪店予約システムであることを特徴とするものである。
【００３９】
請求項２９記載の発明によれば、美容院・理髪店予約方法は、通信機能を有する複数の情報処理装置をネットワークを介して相互に接続し、ネットワークを介して美容院及び／または理髪店の予約を行う美容院・理髪店予約方法であって、美容院・理髪店予約方法は、カメラにより顔写真を撮影するステップと、ヘアスタイルサンプル集に掲載された１または複数のヘアスタイルのサンプルごとに付されたヘアスタイル番号の少なくとも１つを選択するステップと、撮影された顔写真と選択されたヘアスタイル番号とを、第１の情報処理装置から第２の情報処理装置に送信するステップと、第２の情報処理装置により顔写真と選択されたヘアスタイル番号に相当するサンプルとを合成、加工してヘアスタイルのイメージ画像を作成するステップと、第２の情報処理装置からイメージ画像と所定の情報を表示する予約設定画面のアドレスとを第１の情報処理装置に送信するステップと、アドレスを用いて第１の情報処理装置から予約設定画面にアクセスし、予約設定画面を第１の情報処理装置に表示させるステップと、予約設定画面を用いて、予約に必要な予約情報を入力するための所定の情報を表示する予約情報設定画面を第１の情報処理装置に表示させるステップと、予約情報設定画面を用いて予約情報を入力するステップと、第１の情報処理装置から予約情報を第２の情報処理装置に送信するステップと、第２の情報処理装置から予約情報から識別される予約を希望される美容院または理髪店が有する第３の情報処理装置に対してイメージ画像と予約情報とを送信するステップと、第３の情報処理装置から第１の情報処理装置に予約情報に対する応答情報を送信するステップと、を有する美容院・理髪店予約方法であることを特徴とするものである。
【００４０】
請求項３０記載の発明によれば、美容院・理髪店予約方法は、応答情報は、予約情報に基づき予約できると判断される場合は、予約の完了をあらわす予約完了情報である請求項２９記載の美容院・理髪店予約方法であることを特徴とするものである。
【００４１】
請求項３１記載の発明によれば、美容院・理髪店予約方法は、応答情報は、予約情報に基づき予約できないと判断される場合は、予約の時間を変更する要求をあらわす予約希望時刻変更要求情報である請求項２９または３０記載の美容院・理髪店予約方法であることを特徴とするものである。
【００４２】
請求項３２記載の発明によれば、美容院・理髪店予約方法は、予約情報は、予約を希望される美容院名若しくは理髪店名、予約希望日時、及びコメントの少なくとも１つを含む請求項２９から３１のいずれか１項に記載の美容院・理髪店予約方法であることを特徴とするものである。
【００４３】
請求項３３記載の発明によれば、美容院・理髪店予約方法は、第１の情報処理装置が予約希望時刻変更要求情報を受信した場合は、第１の情報処理装置から第３の情報処理装置に対してあらためて予約希望日時を送信するステップ、をさらに有する請求項３１または３２記載の美容院・理髪店予約方法であることを特徴とするものである。
【００４４】
請求項３４記載の発明によれば、美容院・理髪店予約方法は、あらためて予約希望日時を送信するステップは、予約が完了するまで繰り返される請求項３３記載の美容院・理髪店予約方法であることを特徴とするものである。
【００４５】
請求項３５記載の発明によれば、美容院・理髪店予約方法は、通信機能を有する複数の情報処理装置をネットワークを介して相互に接続し、該ネットワークを介して美容院及び／または理髪店の予約を行う美容院・理髪店予約方法であって、美容院・理髪店予約方法は、カメラにより顔写真を撮影するステップと、ヘアスタイルサンプル集に掲載された１または複数のヘアスタイルのサンプルごとに付されたヘアスタイル番号の少なくとも１つを選択するステップと、撮影された顔写真と選択されたヘアスタイル番号とを、第１の情報処理装置から第２の情報処理装置に送信するステップと、第２の情報処理装置により顔写真と選択されたヘアスタイル番号に相当するサンプルとを合成、加工してヘアスタイルのイメージ画像を作成するステップと、第２の情報処理装置からイメージ画像と所定の情報を表示する予約設定画面のアドレスとを第１の情報処理装置に送信するステップと、アドレスを用いて第１の情報処理装置から予約設定画面にアクセスし、予約設定画面を第１の情報処理装置に表示させるステップと、予約設定画面を用いて、予約に必要な予約情報を入力するための所定の情報を表示する予約情報設定画面を第１の情報処理装置に表示させるステップと、予約情報設定画面を用いて少なくとも予約を希望する美容院名または理髪店名を含む予約情報を入力するステップと、入力された美容院名または理髪店名から第２の情報処理装置が予約可能月日を求め、予約可能月日を予約情報設定画面に表示するステップと、予約可能月日から第１の情報処理装置により予約を希望する予約希望月日を選択するステップと、選択された予約希望月日から第２の情報処理装置は予約可能時刻を求め、予約可能時刻を予約情報設定画面に表示するステップと、予約可能時刻から第１の情報処理装置により予約を希望する予約希望時刻を選択するステップと、第２の情報処理装置から美容院名または理髪店名に相当する美容院または理髪店が有する第３の情報処理装置に、イメージ画像と、選択された予約希望時刻を含む予約情報と、を送信するステップと、第３の情報処理装置から第１の情報処理装置に予約の完了をあらわす予約完了情報を送信するステップと、を有することを特徴とするものである。
【００４６】
請求項３６記載の発明によれば、美容院・理髪店予約方法は、第２の情報処理装置により予約情報をデータベースとして格納するステップ、をさらに有する請求項２９から３５のいずれか１項に記載の美容院・理髪店予約方法であることを特徴とするものである。
【００４７】
請求項３７記載の発明によれば、美容院・理髪店予約方法は、予約の内容が変化した場合、第３の情報処理装置から第２の情報処理装置に変化した内容に関する情報を送信するステップと、第２の情報処理装置が変化した内容に関する情報を受信し、情報をデータベースとして蓄積するステップと、をさらに有する請求項３６記載の美容院・理髪店予約方法であることを特徴とするものである。
【００４８】
請求項３８記載の発明によれば、美容院・理髪店予約方法は、予約情報を第３の情報処理装置で管理し、イメージ画像を表示し、予約情報とイメージ画像とを参考にして調髪を行なう請求項２９から３７のいずれか１項に記載の美容院・理髪店予約方法であることを特徴とするものである。
【００４９】
請求項３９記載の発明によれば、美容院・理髪店予約方法は、イメージ画像が満足されるものでない場合、イメージ画像とは異なるイメージ画像を作成するステップ、をさらに有する請求項２９から３８のいずれか１項に記載の美容院・理髪店予約方法であることを特徴とするものである。
【００５０】
請求項４０記載の発明によれば、美容院・理髪店予約方法は、イメージ画像が満足されるものでない場合、予約を中止するステップ、をさらに有する請求項２９から３９のいずれか１項に記載の美容院・理髪店予約方法であることを特徴とするものである。
【００５１】
請求項４１記載の発明によれば、美容院・理髪店予約方法は、イメージ画像とは異なるイメージ画像を作成するステップは、ヘアスタイルサンプル集からヘアスタイル番号を選択するステップからはじまる請求項３９または４０記載の美容院・理髪店予約方法であることを特徴とするものである。
【００５２】
請求項４２記載の発明によれば、美容院・理髪店予約方法は、第１の情報処理装置をカメラに接続し、カメラにより顔写真の撮影を行う請求項２９から４１のいずれか１項に記載の美容院・理髪店予約方法であることを特徴とするものである。
【００５３】
請求項４３記載の発明によれば、美容院・理髪店予約方法は、第１の情報処理装置が有するカメラにより顔写真の前記撮影を行う請求項２９から４１のいずれか１項に記載の美容院・理髪店予約方法であることを特徴とするものである。
【００５４】
請求項４４記載の発明によれば、美容院・理髪店予約方法は、第１の情報処理装置は、携帯型通信端末である請求項２９から４３のいずれか１項に記載の美容院・理髪店予約方法であることを特徴とするものである。
【００５５】
請求項４５記載の発明によれば、美容院・理髪店予約方法は、携帯型通信端末は、カメラを有するカメラ付き携帯電話である請求項４４記載の美容院・理髪店予約方法であることを特徴とするものである。
【００５６】
請求項４６記載の発明によれば、美容院・理髪店予約方法は、第２の情報処理装置は、ワークステーション・サーバである請求項２９から４５のいずれか１項に記載の美容院・理髪店予約方法であることを特徴とするものである。
【００５７】
請求項４７記載の発明によれば、美容院・理髪店予約方法は、第３の情報処理装置は、美容院または理髪店の店舗に設置してあるパーソナルコンピュータである請求項２９から４６のいずれか１項に記載の美容院・理髪店予約方法であることを特徴とするものである。
【００５８】
請求項４８記載の発明によれば、美容院・理髪店予約方法は、前記ヘアスタイルサンプル集は、美容院または理髪店が提供しているヘアスタイルのサンプルを集めた情報である請求項２９から４７のいずれか１項に記載の美容院・理髪店予約方法であることを特徴とするものである。
【００５９】
請求項４９記載の発明によれば、美容院・理髪店予約方法は、ヘアスタイルサンプル集は、ネットワーク上に提供される請求項２９から４８のいずれか１項に記載の美容院・理髪店予約方法であることを特徴とするものである。
【００６０】
請求項５０記載の発明によれば、美容院・理髪店予約方法は、ヘアスタイルサンプル集は、紙媒体により提供される請求項２９から４８のいずれか１項に記載の美容院・理髪店予約方法であることを特徴とするものである。
【００６１】
請求項５１記載の発明によれば、美容院・理髪店予約方法は、ヘアスタイルサンプル集は、利用者の過去のヘアスタイル及び／または利用者以外の他の利用者のヘアスタイルの傾向に関する情報を含む請求項２９から５０のいずれか１項に記載の美容院・理髪店予約システムであることを特徴とするものである。
【００６２】
請求項５２記載の発明によれば、美容院・理髪店予約方法は、利用者の過去のヘアスタイル及び／または利用者以外の他の利用者のヘアスタイルの傾向を取得するステップ、をさらに有する請求項２９から５１のいずれか１項に記載の美容院・理髪店予約方法であることを特徴とするものである。
【００６３】
請求項５３記載の発明によれば、美容院・理髪店予約方法は、ヘアスタイルサンプル集は、第２の情報処理装置が管理するデータベースを用いて提供される請求項２９から５２のいずれか１項に記載の美容院・理髪店予約方法であることを特徴とするものである。
【００６４】
請求項５４記載の発明によれば、美容院・理髪店予約方法は、ヘアスタイル番号の選択は、第２の情報処理装置がネットワーク上に提供しているヘアスタイルサンプル集に第１の情報処理装置からアクセスし、ヘアスタイルサンプル集から希望するヘアスタイルのサンプルを選択し、サンプルに付されたヘアスタイル番号を選択することにより行われる請求項２９から５３のいずれか１項に記載の美容院・理髪店予約方法であることを特徴とするものである。
【００６５】
請求項５５記載の発明によれば、美容院・理髪店予約方法は、ネットワークは、インターネットである請求項２９から５４のいずれか１項に記載の美容院・理髪店予約方法であることを特徴とするものである。
【発明の効果】
【００６６】
請求項１から５５に記載の発明によれば、第１に、利用者は本などでカットモデルのサンプルを見るだけでなく、自分のカット等後のヘアスタイルのイメージ画像を入手できる。第２に、美容院も前もって顧客のカット等のイメージ画像を手に入れることができるので、利用者が美容院等に着いてから、カット等を話し合って決める等の時間が不要となり、利用者も美容院等側も時間を効率的に使うことができる。第３に、美容院等は利用者がどのようなカットを望んでいるかを、利用者の来店前に把握できるので、準備が可能になる。第４に、電子メールによる予約のため、２４時間予約を受け付けることができる。
【００６７】
請求項５から２８、３５から５５記載の発明によれば、利用者が、美容院端末から予約希望時刻変更要求情報を受信すると予約が確定になるまで携帯電話で予約希望時間を電子メールで送信する作業の必要がなくなる。
【００６８】
請求項１５から２８、４５から５５記載の発明によれば、利用者は、カメラ付き携帯電話を利用することにより、迅速に一連の動作を行うことができる。
【００６９】
請求項２６から２８、５１から５５記載の発明によれば、利用者は、自分の過去のカット等のイメージと他の利用者のカット等の傾向を入手することができるので、利用者の選択の幅が広がる。
【発明を実施するための最良の形態】
【００７０】
次に、添付の図面を参照して、本発明による美容院・理髪店予約システム及び美容院・理髪店予約方法の実施の形態を詳細に説明する。
【実施例１】
【００７１】
本実施の形態は、美容院等の利用者がカメラ付き携帯電話等を利用することにより、カット後の利用者の顔写真を手に入れた後に美容院の予約を２４時間行なえることを特徴とする。
【００７２】
図１には、本発明による美容院・理髪店予約システム及び美容院・理髪店予約方法の一実施形態における美容院・理髪店予約システムの構成が示されている。
【００７３】
図１において、美容院・理髪店予約システム１００は、第１の情報処理装置（カメラ付き携帯電話１０）と、ヘアスタイルサンプル集（カットサンプル集２０）と、第２の情報処理装置（美容院予約システムセンター３０）と、第３の情報処理装置（美容院端末４０）と、有して構成され、それらはネットワーク５０を介して相互に接続されている。
【００７４】
図１において、利用者は第１の情報処理装置（カメラ付き携帯電話１０）とヘアスタイルサンプル集（カットサンプル集２０）を用い、自己の顔写真とヘアスタイルサンプル集（カットサンプル集２０）に掲載されている自己が希望するカットに付されたヘアスタイル番号（カット番号）を第１の情報処理装置（カメラ付き携帯電話１０）のメール機能によりネットワーク５０（インターネット）を介して第２の情報処理装置（美容院予約システムセンター３０）に送信する。
【００７５】
第２の情報処理装置（美容院予約システムセンター３０）は、利用者の顔写真と、利用者が希望しているヘアスタイルサンプル集（カットサンプル集２０）のヘアスタイル番号（カット番号）のカット画像を合成、加工し、加工した画像をメールで利用者の第１の情報処理装置（カメラ付き携帯電話１０）に送信する。
【００７６】
利用者は、受信した加工後画像を見た後、画像のカットを希望するならば、第１の情報処理装置（カメラ付き携帯電話１０）からカット、パーマ、染髪、髪結い等の予約を行なう。利用者からの予約情報は、ネットワーク５０を介して第２の情報処理装置（美容院予約システムセンター３０）のデータベースに登録されるとともに、第３の情報処理装置（美容院端末４０）にも情報が登録される。
【００７７】
なお、ヘアスタイルサンプル集（カットサンプル集２０）は、第２の情報処理装置（美容院予約システムセンター３０）のデータベースの情報を利用することにより利用者の以前のカットイメージ（ヘアスタイルイメージ）、他の利用者のカット（ヘアスタイル）の傾向も提供している。
【００７８】
本実施形態の構成について、以下さらに具体的に説明する。
【００７９】
図１を参照すると、本実施形態における美容院・理髪店予約システム１００は、カメラ付き携帯電話１０と、カットサンプル集２０と、美容院予約システムセンター３０と、美容院端末４０と、これらを相互に接続するインターネット等の通信ネットワーク５０と、を有して構成されている。
【００８０】
カメラ付き携帯電話１０は、利用者の顔写真を撮影する機能と、写真をインターネットメールで送信する機能と、美容院予約システムセンター３０がネットワーク５０上に提供している予約設定情報とカットサンプル集２０を携帯電話１０の画面に表示する機能と、を備えている。
【００８１】
ただし、本発明は、カメラ付き携帯電話に限定されるものではなく、カメラ付き携帯電話の代わりに同様の機能を備えた情報通信端末を用いた場合にも適用される。すなわち、カメラ付き携帯電話の代わりに、カメラ付きのＰＤＡ、カメラ付き固定電話、通信機能を備えたカメラ付きのＰＣ、デジタルカメラと通信機能を備えたＰＣの組み合わせ等によっても、本発明を実施することができる。
なお、予約設定情報としては、希望美容院名、予約希望日時、コメント等の予約に必要な情報である。
【００８２】
カットサンプル集２０とは、カットサンプルを集めた情報であり、美容院等が提供している。カットサンプルには、利用者の以前のカットイメージ（ヘアスタイルイメージ）と他の利用者のカット（ヘアスタイル）の傾向の情報も含んでいる。情報の提供方法としては、ネットワーク５０上に公開しているのに加えて、書籍として紙ベースでの提供も行なっている。紙ベースの場合は以前のカットイメージと他の利用者のカットの傾向の情報は含まないこともある。
なお、本発明は、鋏によるカットに限定されず、剃刀、バリカンによる調髪や、パーマ、ヘアダイ、ブリーチ、ブロー、髪結い等も広く含んだすべての調髪形態に適用される。よって、本発明におけるサンプル集は、ヘアスタイル（髪型）のサンプルが掲載されているヘアスタイルサンプル集であれば足り、カットサンプル集２０に限定されない。
【００８３】
美容院予約システムセンター３０は、ワークステーション・サーバ等の情報処理装置によって構成される。美容院予約システムセンター３０は、次の機能を備えている。
【００８４】
すなわち、第１に、利用者からメールで送信された利用者の写真とカットサンプル集の番号を受け取り、利用者の写真とカットサンプル画像の合成、加工を行なった後に、写真を利用者の携帯電話１０に送信する機能を有する。第２に、利用者が加工画像を確認後に予約を行なうための予約設定情報の画面の提供と、予約情報設定画面を介して送信される予約情報を受け取り、その情報をデータベースに格納する機能を有する。第３に、予約情報に登録されている美容院名の端末に予約情報を送信する機能をも有する。
なお、予約情報は、予約を希望される美容院名若しくは理髪店名、予約希望日時、及びコメントの少なくとも１つを含むが、美容院等に送信する予約情報は、予約者の希望カットに加工した予約者の写真、予約希望日時、コメント等の情報としてもよい。
【００８５】
美容院端末４０は、個々の美容院等の店舗に設置してあるパーソナルコンピュータ等の情報処理装置である。美容院端末４０は美容院予約システムセンター３０から送信される、予約情報を受け取り、管理する機能を備えている。
【００８６】
次に、本発明による美容院・理髪店予約システム及び予約方法の一実施形態（第１の実施形態）の動作について、図１、２、３及び４を参照して詳細に説明する。
なお、以降の説明では、ネットワーク５０はインターネットであるとする。
ただし、本発明におけるネットワークは、インターネットに限定されず、ＷＡＮ、ＬＡＮ等の通信ネットワーク手段のすべてを含む。
【００８７】
図２には、本発明による美容院・理髪店予約システム及び予約方法の一実施形態（実施例１）における動作フローが示されている。
【００８８】
ステップＳ１において、第１の情報処理装置（カメラ付き携帯電話１０）により自分の顔の写真を撮影する。ステップＳ２において、ヘアスタイルサンプル集（カットサンプル集２０）からヘアスタイル番号（カット番号）を選択する。ステップＳ３において、第１の情報処理装置（カメラ付き携帯電話１０）から第２の情報処理装置（美容院予約システムセンター３０）に対して顔写真とヘアスタイル番号（カット番号）を送信する。
【００８９】
ステップＳ４において、第２の情報処理装置（美容院予約システムセンター３０）が、画像を合成、加工して、カット後（調髪後）のイメージ画像を作成する。ステップＳ５において、第２の情報処理装置（美容院予約システムセンター３０）から第１の情報処理装置（カメラ付き携帯電話１０）に対して、カット後（調髪後）のイメージ画像と予約情報設定画面のアドレスを送信する。
【００９０】
ステップＳ６において、第１の情報処理装置（カメラ付き携帯電話１０）の表示手段に予約設定画面を表示させる。
【００９１】
ステップＳ７において、第１の情報処理装置（カメラ付き携帯電話１０）の予約設定画面において画像の「再度作成・予約中止」を選択する。または、ステップＳ８において、第１の情報処理装置（カメラ付き携帯電話１０）の予約設定画面において、「予約」を選択し、予約情報を入力するための予約情報設定画面を表示手段に表示させる。
【００９２】
ステップＳ９において、予約情報設定画面により予約情報を入力し、「確定」を選択する。すると、第１の情報処理装置（カメラ付き携帯電話１０）から第２の情報処理装置容院予約システムセンター３０）に対して、予約情報が送信される。
【００９３】
ステップＳ１０において、第２の情報処理装置（美容院予約システムセンター３０）は、作成したイメージ画像と受信した予約情報とを第３の情報処理装置（美容院端末４０）に対して送信する。ステップＳ１１において、第２の情報処理装置（美容院予約システムセンター３０）は、予約情報をデータベースに格納する。
【００９４】
ステップＳ１２において、第３の情報処理装置（美容院端末４０）から第１の情報処理装置（カメラ付き携帯電話１０）に対して、予約の完了をあらわす予約完了情報（予約完了メール）を送信する。または、ステップＳ１３において、第３の情報処理装置（美容院端末４０）から第１の情報処理装置（カメラ付き携帯電話１０）に対して、予約希望時刻の変更要求をあらわす予約希望時刻変更要求情報（予約希望時刻変更願いメール）を送信する。
【００９５】
ステップＳ１４において、美容院ないし理髪店の美容師ないし理髪師が、予約情報やイメージ画像を参考にして、来店した利用者のヘアカット、剃刀、バリカン、パーマ、ヘアダイ、ブリーチ、髪結い、ブロー等を実際に行い、調髪を完成させる。
【００９６】
以上の各ステップについて、以下、補足的に説明する。
【００９７】
図２を参照すると、まず、利用者側が、自分のカメラ付き携帯電話１０やデジタルカメラを利用して、自分の顔の写真を撮影する（ステップＳ１）。
【００９８】
そして、携帯電話１０や利用者のパーソナルコンピュータ等の通信手段を利用して、美容院予約システムセンター３０がネットワーク５０上に提供しているカットサンプル集２０にアクセスし、希望カット番号を調べる。インターネットにアクセスできない場合は、紙ベースのカットサンプル集で希望カット番号を調べる（ステップＳ２）。
なお、前述したように、カットサンプル集２０とは、美容院等が提供しているカットサンプルを集めた情報であり、カットサンプルには、利用者の以前のカットイメージと他の利用者のカットの傾向の情報も含んでいる。
【００９９】
次に、自分の顔の写真と希望カット番号を携帯電話１０のメール機能を利用し美容院予約システムセンター３０に送信する（ステップＳ３）。
【０１００】
美容院予約システムセンター３０では、利用者より送信された顔の写真と希望カット番号から利用者のカット後のイメージ画像を作成する（ステップＳ４）。
そして、作成したイメージ画像と予約に必要な情報が表示される予約設定画面のアドレスを電子メールで携帯電話１０に送信する（ステップＳ５）。
【０１０１】
利用者は、携帯電話１０で受信した電子メールに添付してあるイメージ画像を確認後、電子メールに記述してある予約設定画面のアドレスを利用し、図３に示されている予約設定画面にアクセスする（ステップＳ６）。
【０１０２】
カットのイメージ画像が満足するものでなく再度作成する場合、もしくは予約を中止したい場合は画面の「再度作成・予約中止」を選択する。選択後、画面が遷移し処理が終了となる（ステップＳ７）。
【０１０３】
イメージ画像でよければ「予約」を選択する。選択後、画面が遷移し図４に示されている予約情報設定の画面（予約情報入力画面）が表示される（ステップＳ８）。
【０１０４】
予約情報設定画面（予約情報入力画面）では、予約情報、すなわち予約美容院名の選択、予約希望日時、コメント等を入力し、「予約」（確定）を選択する（ステップＳ９）。
【０１０５】
美容院予約システムセンター３０から受信したイメージ画像が満足するものでなく再作成を行なう場合は、カットサンプル集からカット番号を選択する操作（ステップＳ２）からやり直す。
【０１０６】
美容院予約システムセンター３０では、利用者の予約情報受信後に利用者が選択した予約美容院の美容院端末４０に利用者のイメージ画像と予約情報、すなわち予約希望日時やコメント等を電子メールで送信する（ステップＳ１０）。また、メールで送信するとともに、予約情報をデータベースに格納する（ステップＳ１１）。すなわち、ステップＳ１１において、美容院予約システムセンター３０は、予約美容院名の選択、予約希望日時、コメント等予約情報をデータベースに格納する。
【０１０７】
美容院端末４０では受信した予約情報で予約可能ならば、予約完了メールを利用者に送信する（ステップＳ１２）。これに対して、もし予約不可なら、時間変更願いのメールを送信する（ステップＳ１３）。
【０１０８】
予約可能になった場合は予約情報を美容院端末４０で利用者が来店するまで管理を行い、来店したときにイメージ画像とコメントを参考にして、利用者のカットを行なう（ステップＳ１４）。
【０１０９】
利用者は、美容院端末４０から送信された予約希望時刻変更願いメールを受信した場合は、あらためて携帯電話１０で予約希望時間を電子メールで送信する（ステップＳ１５）。予約が確定になるまでこの作業を繰り返す。
【０１１０】
本実施形態による効果は、以下のとおりである。
【０１１１】
第１の効果として、利用者は書籍などでカットモデルのサンプルを見るだけでなく、自分のカット後のイメージを入手できる。
【０１１２】
第２の効果として、利用者が美容院等に着いてから、カットのスタイル等を美容師らと話し合って決める等の時間が無くなるので、利用者のみならず、美容院等側も時間を効率的に使うことができる。
【０１１３】
第３の効果として、利用者は自分の過去のカットイメージと他の利用者のカットの傾向を手に入れることができる。
【０１１４】
第４の効果として、美容院は利用者がどのようなカットを望んでいるかを、来店前に把握できるので準備が可能になる。
【０１１５】
第５の効果として、メールでの予約のため、２４時間予約を受け付けることができる。
【実施例２】
【０１１６】
次に、本発明による美容院・理髪店予約システム及び予約方法の他の実施形態（実施例１）の動作について、図１及び図５を参照して詳細に説明する。
【０１１７】
本実施形態は、利用者がカメラ付き携帯電話１０を利用して予約情報設定画面にアクセスし、予約美容院名または予約理髪店名の選択、予約希望日時（予約希望月日、予約希望時刻）、コメント等を入力する時に、予約可能美容院名または予約理髪店名と予約可能日時（予約可能月日、予約可能時刻）が表示される点が前述した第１の実施形態と異なる。
【０１１８】
したがって、本実施形態においては、美容院端末４０から予約希望時刻変更願いの電子メールを送信する必要がなくなる。
【０１１９】
また、美容院予約システムセンター３０には第１の実施形態と同様の機能に加えて、各美容院端末４０から送信される各美容院の予約状況をデータベースを用いて蓄積する機能と、予約可能日時を導き出す機能とを備えている。すなわち、美容院端末４０は第１の実施形態での機能に加えて、美容院の現在の予約状況の情報が変わるたびにネットワーク５０を介して美容院予約システムセンター３０に情報を送信する機能を備えている。
【０１２０】
なお、上記以外については、本実施形態の構成は、図１で説明した第1の実施形態の構成と基本的には異ならないので、ここではその説明を省略する。
【０１２１】
以下、図５に示されたフローチャートを用いて本実施形態の動作について説明する。
【０１２２】
ステップＳ２１において、第１の情報処理装置（カメラ付き携帯電話１０）により自分の顔の写真を撮影する。ステップＳ２２において、ヘアスタイルサンプル集（カットサンプル集２０）からヘアスタイル番号（カット番号）を選択する。ステップＳ２３において、第１の情報処理装置（カメラ付き携帯電話１０）から第２の情報処理装置（美容院予約システムセンター３０）に対して顔写真とヘアスタイル番号（カット番号）を送信する。
【０１２３】
ステップＳ２４において、第２の情報処理装置（美容院予約システムセンター３０）が、画像を合成、加工して、カット後（調髪後）のイメージ画像を作成する。ステップＳ２５において、第２の情報処理装置（美容院予約システムセンター３０）から第１の情報処理装置（カメラ付き携帯電話１０）に対して、カット後（調髪後）のイメージ画像と予約情報設定画面のアドレスを送信する。
【０１２４】
ステップＳ２６において、第１の情報処理装置（カメラ付き携帯電話１０）の表示手段に予約情報設定画面を表示させる。
【０１２５】
ステップＳ２７において、第１の情報処理装置（カメラ付き携帯電話１０）の予約設定画面において画像の「再度作成・予約中止」を選択する。または、ステップＳ２８において、第１の情報処理装置（カメラ付き携帯電話１０）の予約設定画面において、「予約」を選択し、予約情報を入力するための予約情報設定画面を表示手段に表示させる。
【０１２６】
ステップＳ２９において、予約情報設定画面において、予約美容院名または予約理髪店名を選択し予約情報を入力し、「確定」を選択する。すると、第１の情報処理装置（カメラ付き携帯電話１０）から第２の情報処理装置（美容院予約システムセンター３０）に対して、予約美容院名または予約理髪店名が送信される。
【０１２７】
ステップＳ３０において、第２の情報処理装置（美容院予約システムセンター３０）は、予約美容院名または予約理髪店名から予約可能月日を求め、これを第１の情報処理装置（カメラ付き携帯電話１０）に対して送信する。
【０１２８】
ステップＳ３１において、第１の情報処理装置（カメラ付き携帯電話１０）により、予約を希望する月日すなわち予約月日（予約希望月日）を選択する。すると、第１の情報処理装置（カメラ付き携帯電話１０）から第２の情報処理装置（美容院予約システムセンター３０）に対して、選択された予約月日（予約希望月日）が送信される。
【０１２９】
ステップＳ３２において、第２の情報処理装置（美容院予約システムセンター３０）は、受信した予約月日（予約希望月日）から予約可能時間（予約可能時刻）を求め、これを第１の情報処理装置（カメラ付き携帯電話１０）に対して送信する。
【０１３０】
ステップＳ３３において、第１の情報処理装置（カメラ付き携帯電話１０）により、予約を希望する時間すなわち予約希望時刻（予約時間）を選択し、「選択」を選択する。すると、第１の情報処理装置（カメラ付き携帯電話１０）から第２の情報処理装置（美容院予約システムセンター３０）に対して、選択された予約希望時刻（予約時間）が送信される。
【０１３１】
ステップＳ３４において、第２の情報処理装置（美容院予約システムセンター３０）は、作成したイメージ画像と受信した予約希望時刻（予約時間）を含む予約情報とを第３の情報処理装置（美容院端末４０）に対して送信する。ステップＳ３５において、第２の情報処理装置（美容院予約システムセンター３０）は、予約情報をデータベースに格納する。
【０１３２】
ステップＳ３６において、第３の情報処理装置（美容院端末４０）から第１の情報処理装置（カメラ付き携帯電話１０）に対して、予約の完了をあらわす予約完了情報（予約完了メール）を送信する。
【０１３３】
ステップＳ３７において、美容院ないし理髪店の美容師ないし理髪師が、予約情報やイメージ画像を参考にして、来店した利用者のヘアカット、剃刀、バリカン、パーマ、ヘアダイ、ブリーチ、髪結い、ブロー等を実際に行い、調髪を完成させる。
【０１３４】
その後予約状況に変化があった場合には、ステップＳ３８において、変化した内容を反映する予約情報を第３の情報処理装置（美容院端末４０）から第２の情報処理装置（美容院予約システムセンター３０）に対して送信する。次いで、ステップＳ３９において、第２の情報処理装置（美容院予約システムセンター３０）は、受信した予約情報をデータベースに格納する。
【０１３５】
以上の各ステップについて、以下、補足的に説明する。
【０１３６】
図５を参照すると、利用者がカメラ付き携帯電話１０で顔の写真とカット番号を美容院予約システムセンター３０に送信した後に、美容院予約システムセンター３０から送信されるイメージ画像と予約設定画面のアドレスにアクセスし、予約情報設定画面（予約情報入力画面）を表示するまでの動作（ステップＳ２１からＳ２８）は、第１の実施形態と同様である。
【０１３７】
利用者は表示された予約情報設定画面で、まず予約美容院名を選択する（ステップＳ２９）。これに対して、美容院予約システムセンター３０は、選択された美容院名から予約可能月日を導き出し、予約情報設定画面に表示させる（ステップＳ３０）。
【０１３８】
次に、利用者は予約可能月日から予約月日（予約希望月日）を選択する（ステップＳ３１）。続いて、美容院予約システムセンター３０は選択された予約月日（予約希望月日）から予約可能時間（予約可能時刻）を導き出し、予約情報設定画面に表示させる（ステップＳ３２）。
【０１３９】
その後に、利用者は予約可能時間（予約可能時刻）を見ながら予約希望時刻（予約時間）を選択し、コメント等を入力後に「予約」を選択する（ステップＳ３３）。
【０１４０】
利用者が携帯電話１０で送信した予約希望時刻（予約時間）を含む予約情報を受信した後の美容院予約システムセンター３０の動作（ステップＳ３４、ステップＳ３５）は、第１の実施例と同様である。
【０１４１】
美容院端末４０は、美容院予約システムセンター３０から利用者の予約希望時刻（予約時間）を含む予約情報を受信後、端末にデータを蓄積すると同時に利用者に予約完了メールを送信する（ステップＳ３６）。送信後は予約情報を利用者が来店するまで管理を行い、来店したときに美容院予約システムセンター３０から受信したイメージ画像とコメント等の予約情報とを参考にして、利用者のカットを行なう（ステップＳ３７）。なお、予約情報にイメージ画像を含ませてもよい。
【０１４２】
また、美容院端末４０は、本実施例以外での予約方法により利用者の予約状況が変化するたびに美容院予約システムセンター３０に情報を送信する（ステップＳ３８）。美容院予約システムセンター３０は、美容院端末４０から受信した予約状況をデータベースに蓄積する（ステップＳ３９）。
【０１４３】
以上のように、本実施形態では、利用者が予約情報設定画面で入力した第１の予約日時により予約できなかった場合の再設定を行う事態の発生が避けられる。すなわち、本実施形態によると、利用者が、美容院端末４０から予約希望時刻変更願いメールを受信すると予約が確定になるまで携帯電話１０で予約希望時間を電子メールで送信する作業（ステップＳ１５）の必要がなくなる。
【図面の簡単な説明】
【０１４４】
【図１】本発明による美容院・理髪店予約システム及び予約方法の一実施形態の構成図である。（実施例１）
【図２】本発明による美容院・理髪店予約システム及び予約方法の一実施形態のフローチャートである。（実施例１）
【図３】本発明による美容院・理髪店予約システム及び予約方法の一実施形態における予約設定画面の一例である。（実施例１）
【図４】本発明による美容院・理髪店予約システム及び予約方法の一実施形態における予約情報設定画面の例である。（実施例１）
【図５】本発明による美容院・理髪店予約システム及び予約方法の他の実施形態のフローチャートである。（実施例２）
【符号の説明】
【０１４５】
１０    カメラ付き携帯電話
２０    カットサンプル集
３０    美容院予約システムセンター
４０    美容院端末
５０    ネットワーク
１００    美容院・理髪店予約システム
【図１】
2005032156.tif 000003
【図２】
2005032156.tif 000004
【図３】
2005032156.tif 000005
【図４】
2005032156.tif 000006
【図５】
2005032156.tif 000007